(57)【要約】【課題】本発明は、情報表示のための低電力感知装置及び方法を提供する。【解決手段】携帯端末の状態が待機状態である時に、低電力管理部が近接感知センサーを駆動させることにより近接インタラプトを発生させる場合に、低電力管理部は、動き感知センサーを駆動させ、予め定められた時間の間に携帯端末の動きを判定する。予め定められた時間の間に携帯端末の動きがない場合に、低電力管理部は、画面情報を表示するための近接データを生成した後に、生成された近接データをアプリケーションプロセッサに送信することにより、低電力でユーザーが希望する画面情報を表示することができる。【選択図】図１
2014045489.tif 000002
【特許請求の範囲】
【請求項１】
情報表示のための低電力感知装置であって、
携帯端末に対する近接及び動きのうちの少なくとも１つを感知する感知センサーと、
前記携帯端末に対する近接が前記感知センサーにより感知される場合に、予め定められた時間の間に前記携帯端末の動きを判定し、前記予め定められた時間の間に前記携帯端末の動きがない場合に、前記感知された近接に関するデータを出力する低電力管理部と
を有することを特徴とする低電力感知装置。
【請求項２】
前記感知センサーは、
前記携帯端末に対する近接を感知する近接感知センサーと、
前記携帯端末の動きを感知する動き感知センサーと
を有することを特徴とする請求項１に記載の低電力感知装置。
【請求項３】
前記近接感知センサーに対するインタラプトを発生させるインタラプト部をさらに備え、
前記低電力管理部は、
前記携帯端末の状態がスリープモードである場合に前記近接感知センサーを駆動させ、
前記近接感知センサーに対するインタラプトが前記インタラプト部を通して発生する場合に、前記動き感知センサーを駆動させること
を特徴とする請求項２に記載の低電力感知装置。
【請求項４】
前記低電力管理部は、
前記携帯端末のポスチャーが前記駆動された動き感知センサーを用いて予め定められた判定条件に含まれるか否かを判定し、
前記携帯端末のポスチャーが前記予め定められた判定条件に含まれる場合には、予め定められた時間の間に前記携帯端末の動きがあるか否かを判定し、
前記携帯端末のポスチャーが前記予め定められた判定条件に含まれない場合には、前記動き感知センサーの駆動を中止させること
を特徴とする請求項３に記載の低電力感知装置。
【請求項５】
前記予め定められた判定条件は、前記携帯端末のｘ、ｙ、及びｚ軸の値が予め定められたしきい値以上であるか否かを判定するために使用されることを特徴とする請求項４に記載の低電力感知装置。
【請求項６】
前記低電力管理部は、
前記携帯端末のｘ、ｙ、及びｚ軸の値が予め定められたしきい値以上である場合に、予め定められた時間の間に前記携帯端末の動きがあるか否かを判定し、
前記携帯端末のｘ、ｙ、及びｚ軸の値が予め定められたしきい値より小さい場合に、前記動き感知センサーの駆動を中止させること
を特徴とする請求項５に記載の低電力感知装置。
【請求項７】
前記低電力管理部は、
前記携帯端末の動きが前記動き感知センサーを通して前記予め定められた時間の間に感知される場合に、前記動き感知センサーの駆動を中止させた後に、次のインタラプトが発生するか否かを判定し、
前記携帯端末の動きが前記予め定められた時間の間に感知されない場合に、前記感知された近接に関するデータを出力すること
を特徴とする請求項６に記載の低電力感知装置。
【請求項８】
低電力感知装置における情報表示のための感知方法であって、
携帯端末に対する近接が前記携帯端末に対する近接及び動きのうちの少なくとも１つを感知する感知センサーにより感知されるか否かを判定するステップと、
前記携帯端末に対する近接が感知される場合に予め定められた時間の間に前記携帯端末の動きを判定するステップと、
前記予め定められた時間の間に前記携帯端末の動きがない場合に、前記感知された近接に関するデータを出力するステップと
を有することを特徴とする感知方法。
【請求項９】
前記感知センサーは、
前記携帯端末に対する近接を感知する近接感知センサーと、
前記携帯端末の動きを感知する動き感知センサーと
を有することを特徴とする請求項８に記載の感知方法。
【請求項１０】
前記携帯端末の状態がスリープモードである場合に前記近接感知センサーを駆動させるステップと、
前記近接感知センサーに対するインタラプトが発生する場合に前記動き感知センサーを駆動させるステップと
をさらに有することを特徴とする請求項９に記載の感知方法。
【請求項１１】
前記携帯端末のポスチャーが前記駆動された動き感知センサーを用いて予め定められた判定条件に含まれるか否かを判定するステップと、
前記携帯端末のポスチャーが前記予め定められた判定条件に含まれる場合に、予め定められた時間の間に前記携帯端末の動きがあるか否かを判定するステップと、
前記携帯端末のポスチャーが前記予め定められた判定条件に含まれない場合に、前記動き感知センサーの駆動を中止させるステップと
をさらに有することを特徴とする請求項１０に記載の感知方法。
【請求項１２】
前記予め定められた判定条件は、前記携帯端末のｘ、ｙ、及びｚ軸の値が予め定められたしきい値以上であるか否かを判定するために使用されることを特徴とする請求項１１に記載の感知方法。
【請求項１３】
前記携帯端末のポスチャーが前記駆動された動き感知センサーを用いて予め定められた判定条件に含まれるか否かを判定するステップは、
前記携帯端末のｘ、ｙ、及びｚ軸の値が前記予め定められたしきい値以上である場合に、予め定められた時間の間に前記携帯端末の動きがあるか否かを判定するステップと、
前記携帯端末のｘ、ｙ、及びｚ軸の値が前記予め定められたしきい値より小さい場合に、前記動き感知センサーの駆動を中止させるステップと
を有することを特徴とする請求項１２に記載の感知方法。
【請求項１４】
前記携帯端末の動きが前記動き感知センサーを通して前記予め定められた時間の間に感知される場合に、前記動き感知センサーの駆動を中止させた後に次のインタラプトが発生するか否かを判定するステップと、
前記携帯端末の動きが前記予め定められた時間の間に感知されない場合に、前記感知された近接に関するデータを出力するステップと
をさらに有することを特徴とする請求項１３に記載の感知方法。
【請求項１５】
情報表示のための低電力感知装置であって、
携帯端末に対する客体の近接を感知する近接感知センサーと前記携帯端末の動きを感知する動き感知センサーとを含む感知センサーと、
前記近接感知センサーが近接を感知するか否か、及び前記動き感知センサーが予め定められた時間の間に前記携帯端末が動くことを感知するか否かに基づいて、前記感知センサーの動作を制御する低電力管理部と
を有することを特徴とする低電力感知装置。
【請求項１６】
前記低電力管理部は、
前記低電力管理部が、近接が感知され、予め定められた時間しきい値より大きい時間の間に動きが適用されないことを判定すると、前記近接感知センサー及び前記動き感知センサーの駆動を中止することを特徴とする請求項１５に記載の低電力感知装置。
【請求項１７】
アプリケーションプロセッサーをさらに有し、
前記低電力管理部は、画面情報を表示するための近接データを生成した後に、前記低電力管理部が、近接が感知され、予め定められた時間しきい値より大きい時間の間に動きが適用されないことを判定すると、前記生成された近接データを前記アプリケーションプロセッサーに送信することを特徴とする請求項１５に記載の低電力感知装置。
【発明の詳細な説明】
【技術分野】
【０００１】
本発明は、低電力感知装置及び方法に関し、特に、携帯端末が待機状態である時に低電力でボディーの一部又は物体の近接を感知し、予め定められた画面情報を表示するための低電力感知装置及び方法に関する。
【背景技術】
【０００２】
一般的に、ユーザーは、携帯端末の簡単な情報の確認を希望する際に、携帯端末の電源オンボタンを押すことにより携帯端末の状態を待機状態から活性化状態に切り替える。活性化状態に切り替えられた携帯端末は、簡単な情報、例えば、バッテリー状態、充電状態、現在の時間、確認されないメッセージ、確認されない電話、現在再生中である音楽情報、及びコンテンツダウンロード情報などを表示する。したがって、ユーザーは、活性化状態である携帯端末の画面に表示された簡単な情報を確認することができる。
【０００３】
また、携帯端末は、ユーザーのボディー又は物体の近接を感知する近接感知センサーを含み、近接感知センサーを通してユーザーのボディー又は物体の近接が感知されると、携帯端末の画面上に簡単な情報を表示する。このような表示を通して、ユーザーは、携帯端末の電源オンボタンを押さずに携帯端末の簡単な情報を便利に確認することができる。
【０００４】
上述したように、ユーザーは、携帯端末の簡単な情報の確認を希望する場合に、電源オンボタン又は近接センサーを用いて携帯端末の動作状態を待機状態から活性化状態に切り替え、活性化状態に切り替えられた携帯端末の画面上に簡単な情報を表示する。
【０００５】
しかしながら、従来の技術では、ユーザーが携帯端末の簡単な情報を確認する度に携帯端末の電源オンボタンを押さえなければならない面倒なことがあった。
【０００６】
また、従来では、携帯端末の近接感知センサーが継続的に動作しつつユーザーのボディー又は物体の近接を感知するために、携帯端末が継続的に活性化状態を保持するためには電力を消費しなければならないという問題点がある。
【０００７】
さらに、従来では、携帯端末の近接感知センサーを通してユーザーが希望しない近接を感知した場合にも携帯端末の状態を待機状態から活性化状態に切り替えるために、頻繁な切り替えによる携帯端末の全体の待機時間を減少させるという短所がある。例えば、ユーザーは、近接感知センサーによる感知に基づいて携帯端末の状態をなにげなく待機状態から活性化状態に切り替える場合がある。
【先行技術文献】
【特許文献】
【０００８】
【特許文献１】特開２０１１−１３９３０１号公報
【発明の概要】
【発明が解決しようとする課題】
【０００９】
したがって、本発明は、上述した従来技術の問題点を解決するために提案されたものであり、その目的は、ユーザーが希望する近接を感知し、低電力で予め定められた画面情報を表示する低電力感知装置及び方法を提供することにある。
【課題を解決するための手段】
【００１０】
上記のような目的を達成するために、本発明の一態様によれば、情報表示のための低電力感知装置が提供される。上記低電力感知装置は、携帯端末に対する近接及び動きのうちの少なくとも１つを感知する感知センサーと、上記携帯端末に対する近接が上記感知センサーにより感知される場合に、予め定められた時間の間に上記携帯端末の動きを判定し、上記予め定められた時間の間に上記携帯端末の動きがない場合に、上記感知された近接に関するデータを出力する低電力管理部とを有することを特徴とする。
【００１１】
本発明の他の態様によれば、低電力感知装置における情報表示のための感知方法が提供される。上記感知方法は、携帯端末に対する近接が上記携帯端末に対する近接及び動きのうちの少なくとも１つを感知する感知センサーにより感知されるか否かを判定するステップと、上記携帯端末に対する近接が感知される場合に予め定められた時間の間に上記携帯端末の動きを判定するステップと、上記予め定められた時間の間に上記携帯端末の動きがない場合に、上記感知された近接に関するデータを出力するステップとを有することを特徴とする。
【００１２】
本発明のまた他の態様によれば、情報表示のための低電力感知装置が提供される。上記低電力感知装置は、携帯端末に対する客体の近接を感知する近接感知センサーと上記携帯端末の動きを感知する動き感知センサーとを含む感知センサーと、上記近接感知センサーが近接を感知するか否か、及び上記動き感知センサーが予め定められた時間の間に上記携帯端末が動くことを感知するか否かに基づいて、上記感知センサーの動作を制御する低電力管理部とを有することを特徴とする。
【発明の効果】
【００１３】
本発明は、携帯端末の簡単な情報を確認しようとする場合に、携帯端末の情報を表示するための有効な近接データだけを感知して携帯端末の状態を切り替えることにより携帯端末の電力消費を節減させることができるという長所を有する。
【００１４】
また、本発明は、有効な近接データだけを感知して携帯端末の状態を切り替えるので、携帯端末の頻繁な切り替えを減少させ、携帯端末が全体の待ち時間を増やすことができるという長所を有する。
【００１５】
本発明の実施形態の上述した及び他の様相、特徴、及び利点は、以下の添付図面が併用された後述の詳細な説明から、より一層明らかになるだろう。
【図面の簡単な説明】
【００１６】
【図１】本発明の実施形態による低電力感知装置の構成を示す図である。
【図２】本発明の実施形態による低電力感知装置の低電力管理部が動き感知センサーから受信する動き感知信号の一例を示す図である。
【図３】本発明の実施形態による近接感知及び動き感知を通して低電力感知装置が予め定められた画面情報を表示する過程を示すフローチャートである。
【図４】本発明の実施形態による近接感知及び動き感知を通して低電力感知装置が予め定められた画面情報を表示する過程を示すフローチャートである。
【図５】本発明の他の実施形態による画面情報を表示する過程を示すフローチャートである。
【図６】本発明の他の実施形態による画面情報を表示する過程を示すフローチャートである。
【図７】本発明の他の実施形態による画面情報を表示する過程を示すフローチャートである。
【発明を実施するための形態】
【００１７】
添付の図面を参照した下記の説明は、特許請求の範囲の記載及びこれと均等なものの範囲内で定められるような本発明の実施形態の包括的な理解を助けるために提供されるものであり、この理解を助けるために様々な特定の詳細を含むが、単なる一つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１８】
さらに、添付した図において、同一の構成要素または機能的に類似した構成要素に対しては同一の参照符号及び参照番号を付ける。
【００１９】
“第１”及び“第２”などのような序数を含む用語が様々な構成要素を説明するために使用されるが、これらの構成要素は、この用語により限定されない。この用語は、１つの構成要素を他の構成要素と区別するためにだけ使用される。例えば、本発明の権利範囲を逸脱することなく、第１の構成要素は第２の構成要素と呼ばれてもよく、同様に、第２の構成要素も第１の構成要素と呼ばれてもよい。ここで使用される用語は、本発明の実施形態の説明が単に実例を提供するためのものであって、本発明の目的を限定するものでないことは、当該技術分野における通常の知識を有する者には明らかである。 本願において、単数は文脈上これと異なることを要求しない限り、複数を含む。
【００２０】
本発明で説明される携帯端末は、携帯電話、ＰＤＡ、ディジタルカメラ、携帯用ゲーム機、ＭＰ３プレーヤー、ＰＭＰ、携帯用電子ブック、タブレットＰＣ、携帯用ラップトップＰＣ、ＧＰＳシステムなどのような、無線通信又はネットワーク通信を行うことができる移動装置を意味する。
【００２１】
本発明によると、携帯端末が待機状態のとき、低電力管理部が近接感知センサーを駆動することにより近接インタラプトを発生させる場合に、動き感知センサーを駆動し、予め定められた時間の間に携帯端末の動きを判定する。予め定められた時間の間に携帯端末の動きがない場合に、低電力管理部は、画面情報を表示するための近接データを生成した後に、この生成された近接データをアプリケーションプロセッサーに送信することにより低電力でユーザーが希望する画面情報を表示する。
【００２２】
図１は、本発明の実施形態による低電力感知装置の構成を示す図である。
【００２３】
本発明による携帯端末は、低電力感知装置１００、アプリケーションプロセッサー２００、表示部２１０、入力部２２０、近接感知センサー２３０、及び動き感知センサー２４０を含む。
【００２４】
まず、低電力感知装置１００は、低電力管理部１１０、インタラプト部１２０、タイマー１３０、メモリ部１４０、第１のバス１５０、第２のバス１６０、及び第３のバス１７０を含む。
【００２５】
低電力管理部１１０は、低電力感知装置１００の全般的な動作を制御し、特に、アプリケーションプロセッサー２００がスリープモードにある状態で近接感知センサー２３０を駆動させ、インタラプト部１２０から近接インタラプトの発生を感知する際に動き感知センサー２４０を駆動させる。
【００２６】
低電力管理部１１０は、動き感知センサー２４０を通して携帯端末のポスチャーが予め定められた判定条件を満足するか否かを判定する。ここで、予め定められた判定条件は、携帯端末のｘ軸、ｙ軸、及びｚ軸の角度が予め定められたしきい範囲内にあるか否かを判定する条件を意味する。このとき、本発明の実施形態による動き感知センサー２４０は、加速度センサーであってもよく、携帯端末の水平方向に沿って回転した回転角を計算する。このように、携帯端末（例えば、動き感知センサー２４０）は、計算された回転角が予め定められたしきい範囲内に含まれるか否かを判定する。回転角が予め定められたしきい範囲内にある場合には、低電力管理部１１０は、回転角が予め定められた判定条件を満足するものと判定する。回転角が予め定められたしきい範囲に存在しない場合には、低電力管理部１１０は、回転角が予め定められた判定条件を満足しないものと判定する。例えば、携帯端末の水平方向に沿って回転した回転角が０°である場合に、この値が予め定められたしきい範囲内に含まれると、低電力管理部１１０は、回転角が予め定められた判定条件を満足するものと判定することができる。
【００２７】
携帯端末のポスチャーが予め定められた判定条件を満足する場合に、低電力管理部１１０は、動きとして確認される感知信号が予め定められた時間の間に動き感知センサー２４０から入力される感知信号に含まれているか否かを判定する。
【００２８】
携帯端末のポスチャーが予め定められた判定条件を満足しない場合に、低電力管理部１１０は、動き感知センサーの駆動を中止し、次の近接インタラプトの発生を待機する。したがって、本発明は、携帯端末の状態が近接状況でない状況で待機状態から活性化状態に切り替えられることを防止することができる。
【００２９】
言い換えれば、動きとして確認される感知信号が低電力管理部１１０により予め定められた時間の間に動き感知センサー２４０から入力される感知信号に含まれるものと判定される場合に、低電力管理部１１０は、動き感知センサー２４０の駆動を中止し、次の近接インタラプトの発生を待機する。
【００３０】
動きとして確認される感知信号が予め定められた時間の間に動き感知センサー２４０から入力される感知信号に含まれない場合に、低電力管理部１１０は、予め定められた時間が経過したか否かを判定する。
【００３１】
図２を参照して、低電力管理部１１０が動きセンサーから受信される感知信号から動きを判定する過程について具体的に説明する。
【００３２】
図２は、本発明の実施形態による低電力感知装置の低電力管理部が動き感知センサーから受信する動き感知信号の一例を示す図である。
【００３３】
図２を参照すると、低電力管理部１１０は、動き判定のために予め定められた時間区間を所定数の区間に分割し、分割された各時間区間ごとに入力される感知信号が予め定められたしきい値(ＴＨ）以上である値を有するか否かを判定する。このとき、低電力管理部１１０は、感知信号がしきい値以上の値を有する場合に動きがあるものと判定し、感知信号がしきい値より小さい場合に動きがないものと判定する。また、予め定められた時間区間は、動き感知センサー２４０が動きを判定するために使用される最小時間を意味する。
【００３４】
特定の分割時間区間での感知信号がしきい値以上の値を有する場合に、低電力管理部１１０は、次の分割時間区間から予め定められた時間区間だけ所定数の区間に分割し、分割された各時間区間ごとに入力される感知信号がしきい値以上の値を有するか否かをさらに判定する。このとき、低電力管理部１１０は、前の分割時間区間と現在の分割時間区間とを比較することにより動きが感知された分割時間区間を判定することができる。
【００３５】
例えば、低電力管理部１１０は、予め定められた時間区間Ｔ１０を１０個の時間区間に分割し、分割された１０個の時間区間である０〜Ｔ１、Ｔ１〜Ｔ２、Ｔ２〜Ｔ３、Ｔ３〜Ｔ４、Ｔ４〜Ｔ５、Ｔ５〜Ｔ６、Ｔ６〜Ｔ７、Ｔ７〜Ｔ８、Ｔ８〜Ｔ９、Ｔ９〜Ｔ１０のそれぞれに入力される感知信号がしきい値ＴＨ以上の値を有するか否かを判定する。分割時間区間Ｔ５〜Ｔ６がしきい値以上の値を有する場合に、低電力管理部１１０は、動きが感知されたものと判定する。その後に、低電力管理部１１０は、動きが感知された分割時間区間の後にさらに予め定められた時間区間Ｔを１０個の時間区間に分割し、分割された１０個の時間区間のそれぞれに入力される感知信号がしきい値ＴＨ以上の値を有するか否かを判定する。
【００３６】
動きが予め定められた時間区間内で継続的に感知される場合に、低電力管理部１１０は、動き感知センサーの駆動を中止し、次の近接インタラプトの発生を待機する。
【００３７】
動きが予め定められた時間区間内で感知されない場合に、低電力管理部１１０は、メモリ部１４０に記憶された画面情報を表示するための近接データをアプリケーションプロセッサー２００に送信し、動き感知センサー２４０及び近接感知センサー２３０の駆動を中止する。
【００３８】
近接データを受信したアプリケーションプロセッサー２００は、ユーザーにより予め定められた画面情報を表示部２１０上に表示する。具体的に、アプリケーションプロセッサー２００は、携帯端末の現在の時間、日付け、留守中の電話、留守中のメッセージ、バッテリー残量、再生中である音楽などのような端末情報を含む画面情報を表示部２１０上に表示することができる。ここで、端末情報は、設定されたアラーム時間に関連した情報、すなわち、アラーム時間及び現在の時間からアラーム時間までの残っている時間をさらに含むことができる。このとき、アプリケーションプロセッサー２００は、残っている時間が予め定められた時間より短い場合にアラームを提供することができる。
【００３９】
本発明の実施形態によると、携帯端末は、画面情報を表示し、予め定められた時間が経過すると、待機状態に切り替えられることができる。
【００４０】
また、本発明の実施形態では、携帯端末がこのような端末情報をテキスト又はイメージ画面を通して提供するが、この端末情報は、音声を用いて提供されることができる。例えば、本発明によると、アプリケーションプロセッサー２００は、端末情報をテキスト又はイメージ画面で構成し、この構成されたテキスト又はイメージ画面を表示し、端末情報を音声データで構成し、この構成された音声データを出力することができる。本発明の他の実施形態によると、アプリケーションプロセッサー２００は、個別の画面表示なしに端末情報を音声データだけで構成し、この構成された音声データを出力することができる。例えば、アラームに関連した情報が音声データで出力される場合に、アプリケーションプロセッサー２００は、現在の時間、現在の時間からアラーム時間までの残っている時間、及び周囲の明るさのような条件を考慮して出力される音声データの音量を調節することができる。
【００４１】
インタラプト部１２０は、近接感知センサー２３０又は動き感知センサー２４０から発生したインタラプトを感知し、感知されたインタラプトを低電力管理部１１０に送信する。
【００４２】
タイマー１３０は、特定の時間間隔で数字をカウンティングする。
【００４３】
メモリ部１４０は、画面情報を表示するために使用される近接データを予め記憶する。このような近接データは、予め定められた画面情報に対応するように記憶される。
【００４４】
第１のバス１５０は、低電力管理部１１０、タイマー１３０、及びメモリ部１４０を接続するインターフェースである。
【００４５】
第２のバス１６０は、低電力管理部１１０とアプリケーションプロセッサー２００とを接続するインターフェースである。
【００４６】
第３のバス１７０は、低電力管理部１１０、近接感知センサー２３０、及び動き感知センサー２４０を接続するインターフェースである。
【００４７】
アプリケーションプロセッサー２００は、携帯端末の全般的な動作を制御し、特に、低電力管理部２００から近接データを受信する際に予め定められた画面情報を表示部２１０上に表示する。
【００４８】
表示部２１０は、液晶表示装置(Liquid Crystal Display：ＬＣＤ）で実現されることができ、携帯端末のメニュー、入力されたデータ、機能設定情報、及び他の様々な情報をユーザーに視覚的に提供する。表示部２１０は、ＬＣＤに加えて様々な装置を含むことができる。表示部２１０は、携帯端末のブーティング画面、待機画面、表示画面、通話画面、及び他のアプリケーション実行画面を出力する機能を実行する。
【００４９】
入力部２２０は、キー入力のための複数のキーを含むキー入力手段、マウスのようなポインティング入力のためのポインティング入力手段、タッチ入力のためのタッチ入力手段などを含むことができ、このような手段を通して、入力部２２０は、受信された入力信号をアプリケーションプロセッサー２００に送信する。
【００５０】
近接感知センサー２３０は、ユーザのボディー又は物体の接触の前に近接する際に感知信号を出力する。例えば、近接感知センサー２３０は、赤外線、レーザ、超音波、照度センサー、又は静電圧方式タッチスクリーンを使用することができる。
【００５１】
動き感知センサー２４０は、人又は物体の動きを感知することにより感知信号を出力する。例えば、動き感知センサー２４０は、加速度、ジャイロ、地磁気、又は重力センサーを使用することができる。
【００５２】
また、本発明の実施形態では、低電力感知装置１００が周辺の環境を感知するセンサーをさらに含むことにより、アプリケーションプロセッサーの状態を待機状態から活性化状態に切り替えるための有効な動作だけを感知することができる。
【００５３】
上述したように、本発明の実施形態では、低電力感知装置１００がアプリケーションプロセッサー２００とは個別に実現されることを例として説明したが、低電力感知装置１００は、アプリケーションプロセッサー２００内のサブコアに含まれることができる。言い換えれば、低電力感知装置１００のためのサブコアは、アプリケーションプロセッサー２００に付加されることができ、アプリケーションプロセッサー２００は、バス又はレジスタを通して低電力感知装置１００間の通信を実行することができる。
【００５４】
上述した本発明の実施形態において、待機状態にある携帯端末を活性化するためのイベントが感知される場合に、携帯端末のポスチャーを判定する。この判定された携帯端末のポスチャーが携帯端末を活性化する条件を満足する場合に、携帯端末は、活性化される。
【００５５】
本発明の他の実施形態によると、携帯端末は、携帯端末がホルダーに接続されているか又は携帯端末が待機状態でバックグラウンドを通して特定のアプリケーションを実行しているかを判定することにより、この判定に関連した画面情報を表示する。
【００５６】
まず、携帯端末がホルダーに接続されているか否かに従って画面情報を表示する過程について説明する。低電力管理部１１０は、携帯端末がスリープモードでホルダーに接続されているか否かを判定する。携帯端末がホルダーに接続されている場合には、低電力管理部１１０は、携帯端末の状態をスリープモードから活性化モードに切り替える。その後に、低電力管理部１１０は、近接感知センサー２４０を駆動することにより近接インタラプトが発生するか否かを判定する。近接インタラプトが発生する場合に、低電力管理部１１０は、近接データをアプリケーションプロセッサー２００に送信する。アプリケーションプロセッサー２００は、音声認識のための画面を構成し、この構成された画面を音声認識を通して携帯端末の機能を制御するための音声認識モードで表示部２１０上に表示する。例えば、車両内のホルダーとの接続が認識される場合に、低電力管理部１１０は、携帯端末の状態をユーザーの車両運転のための運転モードに切り替えることができる。
【００５７】
また、音楽再生装置のドックホルダーと音楽再生中である音楽再生モードの携帯端末間の接続が認識される場合に、低電力管理部１１０は、近接感知センサー２４０を駆動させ、近接インタラプトが発生するか否かを判定する。ホルダーとの接続が認識されない場合に、低電力管理部１１０は、音楽再生モードを保持する。
【００５８】
近接インタラプトが発生する場合に、低電力管理部１１０は、近接データをアプリケーションプロセッサー２００に送信し、アプリケーションプロセッサー２００は、再生中である音楽に関連した画面を構成し、この構成された画面を表示部２１０上に表示することができる。このとき、再生中である音楽に関連した画面は、音楽に関連したアーティスト、歌詞のような音楽情報及び音楽再生を制御するためのインターフェースを含むことができる。近接インタラプトが発生しない場合に、低電力管理部１１０は、近接インタラプトが発生するか否かを継続的に判定する。
【００５９】
その後に、携帯端末が待機状態でバックグラウンドを通して特定のアプリケーションを実行するか否かに従って画面情報を表示する過程について具体的に説明する。アプリケーションプロセッサー２００が特定のアプリケーションを実行する間に予め定められた時間が経過する場合に、携帯端末の状態は、スリープモードに切り替えられる。このとき、特定のアプリケーションは、データアップロード又はダウンロードのためのアプリケーションのようにバックグラウンドを通して実行可能なアプリケーションであり得る。
【００６０】
低電力管理部１１０は、近接感知センサー２４０を駆動することにより近接インタラプトが発生するか否かを判定する。近接インタラプトが発生する場合に、低電力管理部１１０は、バックグラウンドを通して実行中であるアプリケーションに関連した画面を構成し、この構成された画面を表示部２１０上に表示する。バックグラウンドを通して実行中であるアプリケーションに関連した画面は、１つのスマートフォンと他のスマートフォン間のデータ送受信のためのアプリケーションである場合に、データアップロード又はダウンロードのための時間及びデータ容量のような進行状態情報を含むことができる。
【００６１】
したがって、携帯端末は、ユーザーが希望する画面情報を表示するための有効な動作だけを感知することにより低電力で予め定められた画面情報を表示することができる。
【００６２】
図３及び図４は、本発明の実施形態による近接感知及び動き感知を通して低電力感知装置が予め定められた画面情報を表示する過程を示すフローチャートである。
【００６３】
図３を参照すると、ステップ３００において、低電力管理部１１０は、アプリケーションプロセッサー２００がスリープモードにあるか否かを判定する。アプリケーションプロセッサー２００がスリープモードにある場合に、低電力管理部１１０は、ステップ３０１に進む。そうでなければ、低電力管理部１１０は、ステップ３００において、アプリケーションプロセッサー２００がスリープモードにあるか否かを継続して判定する。
【００６４】
ステップ３０１において、低電力管理部１１０は、近接感知センサー２３０を駆動し、ステップ３０２において、近接インタラプトがインタラプト部１２０を通して発生するか否かを判定する。近接インタラプトが発生する場合に、低電力管理部１１０は、ステップ３０３に進む。そうでなければ、低電力管理部１１０は、ステップ３０２において、近接インタラプトが発生するか否かを継続的に判定する。
【００６５】
ステップ３０４において、低電力管理部１１０は、携帯端末のポスチャーが動き感知センサー２４０を通して予め定められた判定条件に含まれるか否かを判定する。このポスチャーが予め定められた判定条件に含まれる場合に、低電力管理部１１０は、ステップ３０６に進む。このポスチャーが予め定められた判定条件に含まれない場合に、低電力管理部１１０は、ステップ３０５に進み、動き感知センサー２４０の駆動を中止する。その後に、低電力管理部１１０は、ステップ３０２に進み、次の近接インタラプトが発生するか否かを判定した後に、ステップ３０３及びステップ３０４を実行する。
【００６６】
ステップ３０６において、低電力管理部１１０は、予め定められた時間の間に動きがあるか否かを判定する。言い換えれば、低電力管理部１１０は、動きとして確認される感知信号が動き感知センサー２４０から入力される感知信号に含まれるか否かを判定する。
【００６７】
判定の結果、予め定められた時間の間に動きがある場合に、低電力管理部１１０は、ステップ３０５に進み、動き感知センサー２４０の駆動を中止し、ステップ３０２に進み、次の近接インタラプトが発生するか否かを判定した後に、ステップ３０３及びステップ３０４を実行する。
【００６８】
予め定められた時間の間に動きがない場合に、低電力管理部１１０は、図４のステップＡに進み、ステップＡの次のステップを実行する。
【００６９】
図４を参照すると、ステップＡからステップ４００に進んだ低電力管理部１１０は、予め定められた時間が経過したか否かを判定する。予め定められた時間が経過した場合に、低電力管理部１１０は、ステップ４０１に進む。予め定められた時間が経過しない場合に、低電力管理部１１０は、図４のステップＢから図３のステップＢに進む。その後に、低電力管理部１１０は、ステップ３０６に進み、予め定められた時間の間に動きがあるか否かを判定した後に図４のステップを実行する。
【００７０】
ステップ４００からステップ４０１に進んだ低電力管理部１１０は、画面情報を表示するための近接データをアプリケーションプロセッサー２００に送信する。
【００７１】
ステップ４０１において、低電力管理部１１０は、動き感知センサー２３０の駆動を中止し、ステップ４０２において、近接感知センサー２４０の駆動を中止した後に近接感知による近接データ送信過程を終了する。
【００７２】
図５乃至図７は、本発明の他の実施形態による画面情報を表示する過程を示すフローチャートである。
【００７３】
図５は、本発明の他の実施形態による携帯端末が車両のホルダーと接続されるか否かに従って画面を表示する過程を示すフローチャートである。
【００７４】
ステップ５００において、携帯端末がスリープモードにある状態で、低電力管理部１１０は、ステップ５０１で携帯端末が車両のホルダーと接続されているか否かを判定する。携帯端末が車両のホルダーと接続されている場合に、低電力管理部１１０は、ステップ５０２に進む。他方、携帯端末が車両のホルダーと接続されていない場合に、低電力管理部１１０は、携帯端末が車両のホルダーと接続されているか否かを継続的に判定する。例えば、低電力管理部１１０は、携帯端末が車両のホルダーと接続されることを示す表示をポーリングすることができる。
【００７５】
ステップ５０２において、低電力管理部１１０は、携帯端末の状態を活性化モードに切り替える。
【００７６】
ステップ５０３において、低電力管理部１１０は、近接感知センサー２４０を駆動し、ステップ５０４において、近接インタラプトが発生するか否かを判定する。
【００７７】
近接インタラプトが発生する場合に、アプリケーションプロセッサー２００は、ステップ５０５において音声認識モードを実行する。他方、近接インタラプトが発生しない場合に、低電力管理部１１０は、ステップ５０４において、近接インタラプトが発生するか否かを継続的に判定する。さらに具体的に、近接インタラプトが発生する場合に、低電力管理部１１０は、音声認識モードを実行するための近接データをアプリケーションプロセッサー２００に送信する。その後に、アプリケーションプロセッサー２００は、ユーザーの音声の認識を通して携帯端末が制御される音声認識モードを実行する。
【００７８】
図６は、本発明の他の実施形態による携帯端末が音楽再生の時に音楽再生装置のドックホルダーと接続されるか否かに従って画面を表示する過程を示すフローチャートである。
【００７９】
ステップ６００において、携帯端末が音楽再生モードにある状態で、低電力管理部１１０は、ステップ６０１で携帯端末が音楽再生装置のドックホルダーと接続されているか否かを判定する。携帯端末が音楽再生装置のドックホルダーと接続されている場合に、低電力管理部１１０は、ステップ６０２に進む。他方、携帯端末が音楽再生装置のドックホルダーと接続されていない場合に、低電力管理部１１０は、携帯端末が音楽再生装置のドックホルダーと接続されているか否かを継続的に判定する。例えば、低電力管理部１１０は、携帯端末が音楽再生装置のドックホルダーと接続されることを示す表示をポーリングすることができる。
【００８０】
ステップ６０２において、低電力管理部１１０は、近接感知センサー２４０を駆動し、ステップ６０３において、近接インタラプトが発生するか否かを判定する。
【００８１】
低電力管理部１１０が、ステップ６０３で近接インタラプトが発生すると判定する場合に、アプリケーションプロセッサー２００は、ステップ６０４において再生中である音楽に関連した画面を構成し、この構成された画面を表示部２１０上に表示する。他方、低電力管理部１１０が、ステップ６０３において近接インタラプトが発生しないと判定する場合に、低電力管理部１１０は、ステップ６０３で近接インタラプトが発生するか否かを継続的に判定する。より具体的に、近接インタラプトが発生する場合に、低電力管理部１１０は、再生中である音楽に関連した画面を構成するための近接データをアプリケーションプロセッサー２００に送信する。その後に、アプリケーションプロセッサー２００は、再生中である音楽に関連したアーティスト、タイトル、歌詞、及び再生時間などを含む音楽情報及び音楽再生を制御するインターフェースを含む画面を構成し、この構成された画面を表示部２１０上に表示することができる。低電力管理部１１０は、近接インタラプトが生成されることを示す表示をポーリングすることができる。
【００８２】
図７は、本発明の他の実施形態によるバックグラウンドを通して実行されるアプリケーションに対する画面を表示する過程を示すフローチャートである。
【００８３】
ステップ７００において、携帯端末は、特定のアプリケーションを実行した状態にある。
【００８４】
ステップ７０１において、低電力管理部１１０は、予め定められた時間が経過したか否かを判定する。
【００８５】
ステップ７０１において、低電力管理部１１０は、予め定められた時間が経過したものと判定する場合に、ステップ７０２に進む。
【００８６】
他方、ステップ７０１において、低電力管理部１１０は、予め定められた時間が経過しないものと判定する場合に、ステップ７０１で予め定められた時間が経過したか否かを継続的に判定する。例えば、低電力管理部１１０は、予め定められた時間が経過することを示す表示を継続的にポーリングすることができる。
【００８７】
ステップ７０２において、低電力管理部１１０は、携帯端末の状態をスリープモードに切り替える。
【００８８】
ステップ７０３において、低電力管理部１１０は、近接感知センサー２４０を駆動する。
【００８９】
ステップ７０４において、低電力管理部１１０は、近接インタラプトが発生するか否かを判定する。
【００９０】
ステップ７０４において、低電力管理部１１０は、近接インタラプトが発生するものと判定する場合に、ステップ７０５に進む。
【００９１】
他方、ステップ７０４において、低電力管理部１１０は、近接インタラプトが発生しないものと判定する場合に、ステップ７０４で近接インタラプトが発生するか否かを継続的に判定する。例えば、低電力管理部１１０は、近接インタラプトが発生することを示す表示を継続的にポーリングすることができる。
【００９２】
ステップ７０５において、アプリケーションプロセッサー２００は、バックグラウンドを通して実行中である特定のアプリケーションに関連した画面を構成し、この構成された画面を表示部２１０上に表示することができる。より具体的に、近接インタラプトが発生する場合に、低電力管理部１１０は、バックグラウンドを通して実行中であるアプリケーションに関連した画面を構成するための近接データをアプリケーションプロセッサー２００に送信する。その後に、アプリケーションプロセッサー２００は、バックグラウンドを通して実行中であるアプリケーションの名前、説明、及び詳細情報などを含む画面を構成することができる。その後に、アプリケーションプロセッサー２００は、この構成された画面を表示部２１０上に表示することができる。例えば、バックグラウンドを通して実行中であるアプリケーションに関連した画面は、このアプリケーションがスマートフォンと他のスマートフォン間のデータ送受信のためのアプリケーションである場合に、データアップロード又はダウンロードのための時間及びデータ容量のような進行状態情報を含むことができる。
【００９３】
本発明の様々な実施形態によると、バックグラウンドを通して実行されることができるアプリケーションは、データ送受信のためのアプリケーション及び歩数計アプリケーションを含む。本発明では、データ送受信のためのアプリケーションを例として説明したが、バックグラウンドを通して実行されるすべてのアプリケーションが含まれることができる。
【００９４】
本発明の実施形態は、ハードウェア、ソフトウェア、又はハードウェア及びソフトウェアの組み合せの形態で実現することができる。このような任意のソフトウェアは、例えば、削除又は再記録が可能であるか否かに関係なく、ＲＯＭなどの記憶装置のような揮発性又は不揮発性記憶装置、又は、例えば、ＲＡＭ、メモリチップ、装置又は集積回路のようなメモリ、又は例えばＣＤ、ＤＶＤ、磁気ディスク又は磁気テープなどの光学的又は磁気的に読み取り可能な媒体に記憶することができる。
【００９５】
本発明の様々な実施形態によると、低電力感知方法は、制御部及びメモリを含むコンピュータ又は携帯端末により実現されることができ、このメモリは、本発明の様々な実施形態を実現する指示を含むプログラム又はプログラムを記憶するのに適合した非一時的な機械可読記憶媒体の一例である。
【００９６】
したがって、本発明の様々な実施形態は、本願に説明したような装置又は方法を実現するためのコードを含むプログラム及びこのようなプログラムを記憶する非一時的な機械可読記憶媒体（例えば、非一時的なコンピュータで読み取り可能な記憶媒体など）を含む。さらに、上述したようなプログラムは、有線又は無線接続を通して搬送される通信信号のような任意の媒体を通して電子的に移送される。したがって、本発明の実施形態は、これと均等なことを適切に含む。
【００９７】
また、低電力感知装置は、このプログラムを有線又は無線を通して低電力感知装置と接続されたプログラム提供装置から受信し、この受信されたプログラムを記憶することができる。プログラム提供装置は、低電力感知装置が予め定められたコンテンツ保護方法を実行するようにする指示を含むプログラム及びコンテンツ保護方法に必要な情報などを記憶するためのメモリと、低電力感知装置との有線又は無線通信を実行するための通信部と、低電力感知装置の要請又は自動で対応するプログラムを低電力感知装置に送信する制御部とを含むことができる。
【００９８】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【００９９】
１００  低電力感知装置
１１０  低電力管理部
１２０  インタラプト部
１３０  タイマー
１４０  メモリ部
１５０  第１のバス
１６０  第２のバス
１７０  第３のバス
２００  アプリケーションプロセッサー
２１０  表示部
２２０  入力部
２３０  近接感知センサー
２４０  動き感知センサー
【図１】
2014045489.tif 000003
【図２】
2014045489.tif 000004
【図３】
2014045489.tif 000005
【図４】
2014045489.tif 000006
【図５】
2014045489.tif 000007
【図６】
2014045489.tif 000008
【図７】
2014045489.tif 000009